(57)【要約】封止構造、表示パネル、表示装置及びその製造方法が提供される。当該封止構造において、複数の金属縁飾り（５）及び複数の絶縁溝（４）の設置に基づいて、無機封止層（３）は金属層（２）の縁が生長する時に多様性の配列特徴を示し、無機封止層の生長の単一法則を打ち破る。金属縁飾り及び絶縁溝の設置は、水分・酸素浸入抵抗力及び浸入経路の長さを増加させるため、表示パネルへの外界の水分・酸素の浸入を効果的に遮断することができ、表示パネルの封止効果を向上させ、表示パネルの使用寿命を延長させる。
2020511683.tif 000002
【特許請求の範囲】
【請求項１】
封止構造であって、
封止すべき基板上に形成された絶縁層と、
前記絶縁層の前記基板から離れた面に形成された金属層と、
前記金属層及び前記絶縁層を覆っている無機封止層と
を含み、
前記絶縁層の前記金属層の縁に接触する部分には、離隔して設置された複数の絶縁溝が形成されており、前記金属層の縁には、離隔して配列された複数の金属縁飾りが形成されており、一部又は全部の前記金属縁飾りは、前記無機封止層により覆われ、複数の前記金属縁飾りと前記金属層とは同一層に設置され、複数の前記金属縁飾りの前記絶縁層における正投影は、複数の前記絶縁溝に一対一対応し、前記金属縁飾りの各々の前記絶縁層における正投影は、対応する前記絶縁溝のノッチと部分的に重なることを特徴とする封止構造。
【請求項２】
離隔して設置された複数の絶縁溝は、前記絶縁層の前記金属層の縁に接触する部分に周期的に設置され、離隔して配列された複数の金属縁飾りは、前記金属層の縁の前記無機封止層により覆われる部分に周期的に形成され、複数の前記絶縁溝の設置周期と複数の前記金属縁飾りの設置周期とは同一であることを特徴とする請求項１に記載の封止構造。
【請求項３】
前記絶縁層は、封止すべき基板上に形成された第１絶縁層と、前記第１絶縁層の上に形成された第２絶縁層とを含み、
前記金属層は前記第２絶縁層の前記第１絶縁層から離れた面に形成され、前記絶縁溝は前記第２絶縁層に設置され、前記絶縁溝は前記第２絶縁層を貫通することを特徴とする請求項１に記載の封止構造。
【請求項４】
前記金属縁飾りの各々の前記絶縁層における正投影の半分は、対応する前記絶縁溝のノッチと重なることを特徴とする請求項１に記載の封止構造。
【請求項５】
前記基板が表示基板である場合、前記絶縁溝の深さは、前記金属層の厚さの二倍より大きく且つピクセルサイズより小さいことを特徴とする請求項１に記載の封止構造。
【請求項６】
前記基板が表示基板である場合、前記金属縁飾りの輪郭は、弧形であり、前記金属縁飾りの半径は、前記金属層の厚さの二倍より大きく且つピクセルサイズより小さいことを特徴とする請求項１に記載の封止構造。
【請求項７】
前記絶縁溝のノッチの形状は、前記金属縁飾りの輪郭と同一又は異なることを特徴とする請求項１乃至６のいずれか一項に記載の封止構造。
【請求項８】
前記金属縁飾りの輪郭は、正方形、長方形、円形、楕円形、平行四辺形又は台形であり、
前記絶縁溝のノッチの形状は、正方形、長方形、円形、楕円形、平行四辺形又は台形であることを特徴とする請求項５に記載の封止構造。
【請求項９】
請求項１乃至８のいずれか一項に記載の封止構造を含む表示パネルであって、
前記封止構造の絶縁層は、前記表示パネルの表示基板上に形成されていることを特徴とする表示パネル。
【請求項１０】
前記表示基板は、フレキシブルＯＬＥＤ表示基板であることを特徴とする請求項９に記載の表示パネル。
【請求項１１】
請求項９乃至１０のいずれか一項に記載の表示パネルを含む表示装置。
【請求項１２】
請求項１乃至８のいずれか一項に記載の封止構造を製造する方法であって、
封止すべき基板上に絶縁層を形成し、離隔して配列された複数の絶縁溝を前記絶縁層に形成するステップと、
前記絶縁層の前記基板から離れた面に金属層を形成し、離隔して配列されかつ一部又は全部が無機封止層により覆われる複数の金属縁飾りを前記金属層の縁に形成するステップと、
前記金属層及び前記絶縁層を覆う前記無機封止層を、前記金属層の前記絶縁層から離れた面に形成するステップと
を含むことを特徴とする方法。
【請求項１３】
離隔して配列された複数の金属縁飾りを前記金属層の縁に形成するステップは、
一回パターニング工程を通じて、離隔して配列された複数の金属縁飾りを有する金属層を形成するステップを含み、
前記金属層の前記絶縁層から離れた面に無機封止層を形成するステップは、
無機封止層を使用して前記金属層及び前記絶縁層を覆うステップを含むことを特徴とする請求項１２に記載の方法。
【請求項１４】
離隔して配列された複数の金属縁飾りを前記金属層の縁に形成するステップは、
複数の前記金属縁飾りを製造し、製造された複数の前記金属縁飾りを前記金属層の縁に離隔して形成するステップを含み、
前記金属層の前記絶縁層から離れた面に無機封止層を形成するステップは、
前記無機封止層を使用して前記金属層及び前記絶縁層を覆うステップを含むことを特徴とする請求項１２に記載の方法。
【請求項１５】
前記絶縁層は、第１絶縁層と、第２絶縁層とを含み、
封止すべき基板上に絶縁層を形成するステップは、
封止すべき基板上に前記第１絶縁層を形成し、且つ前記第１絶縁層の前記金属基板から離れた面に前記第２絶縁層を形成するステップを含み、
前記絶縁層の前記基板から離れた面に金属層を形成するステップは、
前記第２絶縁層の前記第１絶縁層から離れた面に前記金属層を形成するステップを含み、
離隔して配列された複数の絶縁溝を前記絶縁層に設置するステップは、
離隔して設置され、前記第２絶縁層を貫通する複数の絶縁溝を前記第２絶縁層に形成するステップを含むことを特徴とする請求項１２に記載の方法。
【発明の詳細な説明】
【技術分野】
【０００１】
本開示は、表示技術に関し、特に、封止構造、表示パネル、表示装置及びその製造方法に関する。
【背景技術】
【０００２】
フレキシブル表示パネルは、軽薄化された自発光表示パネルであって、良好な表示効果を持つだけではなく、実際使用環境の要求に適応するように、折り曲げを実現することもできる。
【０００３】
既存のフレキシブル表示パネルは、通常、フレキシブル表示基板と、フレキシブル表示基板の表面に設けられた封止構造層とを含む。具体的に、封止構造は、フレキシブル表示パネル上に形成された絶縁層と、絶縁層のフレキシブル表示パネルから離れた面に形成された金属層と、金属層の絶縁層から離れた面に形成された無機封止層とを含み、無機封止層は、金属層の直線縁に対する密封を実現する。
【０００４】
上記の封止構造は、一定の封止役割を果たしているが、金属層の縁は直線であるため、無機封止層と金属層との接触部位が線形構造であり、無機封止層は金属層の縁が生長する時に単一法則を現している。金属層の直線縁と無機封止層の間に隙間が形成される時、外界の水分・酸素は金属層の直線縁に沿って表示領域に浸透しやすく、従って表示パネルの正常使用に影響を及ぼし、ひいては素子を無効にさせるため、既存の封止構造のフレキシブル表示パネルに対する封止効果は良くない。
【発明の概要】
【０００５】
本発明が解決しようとする技術課題は、封止構造を提供して、表示パネルの封止効果を向上させ、外界の水分・酸素が表示領域へ浸透するのを効果的に遮断し、表示パネルの正常使用を確保することである。
【０００６】
一態様において、封止構造を提供する。前記封止構造は、絶縁層と、金属層と、無機封止層とを含み、前記絶縁層は、封止すべき基板上に形成され、前記金属層は、前記絶縁層の前記基板から離れた面に形成され、前記無機封止層は、前記金属層及び前記絶縁層を覆い、
前記絶縁層の前記金属層の縁に接触する部分には、離隔して設置された複数の絶縁溝が形成されており、前記金属層の縁には、離隔して配列された複数の金属縁飾りが形成されており、一部又は全部の前記金属縁飾りは、前記無機封止層により覆われ、複数の前記金属縁飾りと前記金属層とは同一層に設置され、複数の前記金属縁飾りの前記絶縁層における正投影は、複数の前記絶縁溝に一対一対応し、前記金属縁飾りの各々の前記絶縁層における正投影は、対応する前記絶縁溝のノッチと部分的に重なる。
【０００７】
さらに、離隔して設置された複数の絶縁溝は、前記絶縁層の前記金属層の縁に接触する部分に周期的に設置され、離隔して配列された複数の金属縁飾りは、前記金属層の縁の前記無機封止層により覆われる部分に周期的に形成され、複数の前記絶縁溝の設置周期と複数の前記金属縁飾りの設置周期とは同一である。
【０００８】
さらに、前記絶縁層は、封止すべき基板上に形成された第１絶縁層と、前記第１絶縁層の上に形成された第２絶縁層とを含み、前記金属層は前記第２絶縁層の前記第１絶縁層から離れた面に形成され、前記絶縁溝は前記第２絶縁層に設置され、前記絶縁溝は前記第２絶縁層を貫通する。
【０００９】
さらに、前記金属縁飾りの各々の前記絶縁層における正投影の半分は、対応する前記絶縁溝のノッチと重なる。
【００１０】
さらに、前記基板が表示基板である場合、前記絶縁溝の深さは、前記金属層の厚さの二倍より大きく且つピクセルサイズより小さい。
【００１１】
さらに、前記基板が表示基板である場合、前記金属縁飾りの輪郭は、弧形であり、前記金属縁飾りの半径は、前記金属層の厚さの二倍より大きく且つピクセルサイズより小さい。
【００１２】
さらに、前記絶縁溝のノッチの形状は、前記金属縁飾りの輪郭と同一又は異なる。
【００１３】
さらに、前記金属縁飾りの輪郭は、正方形、長方形、円形、楕円形、平行四辺形又は台形であり、
前記絶縁溝のノッチの形状は、正方形、長方形、円形、楕円形、平行四辺形又は台形である。
【００１４】
別の態様において、上記の封止構造を含む表示パネルを更に提供する。前記封止構造の絶縁層は、前記表示パネルの表示基板上に形成されている。
【００１５】
さらに、前記表示基板は、フレキシブルＯＬＥＤ表示基板である。
【００１６】
別の態様において、上記の表示パネル含む表示装置を更に提供する。
【００１７】
別の態様において、上記の封止構造を製造する方法を更に提供する。前記方法は、
封止すべき基板上に絶縁層を形成し、離隔して配列された複数の絶縁溝を前記絶縁層に形成するステップと、
前記絶縁層の前記基板から離れた面に金属層を形成し、離隔して配列されかつ一部又は全部が無機封止層により覆われる複数の金属縁飾りを前記金属層の縁に形成するステップと、
前記金属層及び前記絶縁層を覆う前記無機封止層を、前記金属層の前記絶縁層から離れた面に形成するステップとを含む。
【００１８】
さらに、離隔して配列された複数の金属縁飾りを前記金属層の縁に形成するステップは、一回パターニング工程を通じて、離隔して配列された複数の金属縁飾りを有する金属層を形成するステップを含み、
前記金属層の前記絶縁層から離れた面に無機封止層を形成するステップは、無機封止層を使用して前記金属層及び前記絶縁層を覆うステップを含む。
【００１９】
さらに、離隔して配列された複数の金属縁飾りを前記金属層の縁に形成するステップは、複数の前記金属縁飾りを製造し、製造された複数の前記金属縁飾りを前記金属層の縁に離隔して形成するステップを含み、
前記金属層の前記絶縁層から離れた面に無機封止層を形成するステップは、前記無機封止層を使用して前記金属層及び前記絶縁層を覆うステップを含む。
【００２０】
さらに、前記絶縁層は、第１絶縁層と、第２絶縁層とを含み、封止すべき基板上に絶縁層を形成するステップは、封止すべき基板上に前記第１絶縁層を形成し、且つ前記第１絶縁層の前記金属基板から離れた面に前記第２絶縁層を形成するステップを含み、
前記絶縁層の前記基板から離れた面に金属層を形成するステップは、前記第２絶縁層の前記第１絶縁層から離れた面に前記金属層を形成するステップを含み、
離隔して設置され、前記第２絶縁層を貫通する複数の絶縁溝を前記第２絶縁層に形成するステップを含む。
【００２１】
従来技術に比べ、本発明は以下の利点を含む。
【００２２】
本発明は、封止構造、表示パネル、表示装置及びその製造方法を提供する。本発明に係る封止構造において、複数の金属縁飾り及び複数の絶縁溝の設置に基づいて、無機封止層は金属層の縁が生長する時に多様性の配列特徴を示し、従来技術における無機封止層の生長の単一法則を打ち破る。金属縁飾り及び絶縁溝の設置は、水分・酸素浸入抵抗力及び浸入経路の長さを増加させるため、表示パネルへの外界の水分・酸素の浸入を効果的に遮断することができ、表示パネルの封止効果を向上させ、表示パネルの使用寿命を延長させる。
【図面の簡単な説明】
【００２３】
【図１】従来の表示パネルの構造模式図である。
【図２】従来の表示パネルの封止構造の構造模式図である。
【図３】従来の表示パネルの封止構造の平面構造模式図である。
【図４】従来の表示パネルの封止構造の水分・酸素侵食経路の立体構造模式図である。
【図５】改善された表示パネルの封止構造の平面構造模式図である。
【図６】改善された表示パネルの封止構造の水分・酸素侵食経路の立体構造模式図である。
【図７】本発明の実施例に係る封止構造の平面構造模式図である。
【図８】本発明の実施例に係る封止構造の水分・酸素侵食経路の立体構造模式図である。
【図９】本発明の実施例に係る別の封止構造の平面構造模式図である。
【図１０】本発明の実施例に係る別の封止構造の平面構造模式図である。
【図１１】本発明の実施例に係る上記の封止構造を製造する方法のフローチャートである。
【符号の説明】
【００２４】
１  絶縁層
２  金属層
３  無機封止層
４  絶縁溝
５  金属縁飾り
６  表示基板
７  金属線
１１  第１絶縁層
１２  第２絶縁層
【発明を実施するための形態】
【００２５】
本発明の上記の目的、特徴及び利点をより明らかで分かりやすくするために、以下では、図面及び具体的な実施形態を結び付けて本発明を更に詳細に説明することにする。
【００２６】
本発明の記述において、特に説明がない限り、「複数」の意味は二つ又は二つ以上である。用語「上」、「下」、「左」、「右」、「内」、「外」等が指し示す方位又は位置関係は、図面に示される方位又は位置関係に基づいたものであり、単に本発明の記述を容易にし且つ記述を簡略化するために用いられ、指された部品又は素子が必ずしも特定の方位を持ち、特定の方位で構造及び操作されることを明示又は暗示するものではないため、本発明に対する制限として理解されるべきではない。
【００２７】
本発明の記述において、説明すべきことは、特に明確な規定及び限定がない限り、用語「装着」、「互いに連なる」、「接続」は広義的に理解されるべきである。例えば、固定接続であり得、着脱可能な接続でもあり得、或いは、一体に接続されるものでもあり得る。なお、機械的接続でもあり得、電気的接続でもあり得る。なお、直接接続されるものでもあり得、中間媒体を介して間接接続されるものでもあり得る。当業者にとって、具体的な状況に基づいて本発明における上記の用語の具体的な意味を理解することができる。
【００２８】
以下、図面及び実施例を結び付けて本発明の具体的な実施形態を更に詳細に記述することにする。以下の実施例は、本発明を説明するために用いられるが、本発明の範囲を制限するものではない。
【００２９】
図１は、従来の表示パネルの構造模式図である。図１に示す表示パネルは、表示基板６と、発光層を封止するための封止構造とを含み、当該封止構造は表示基板６上に設置される。
【００３０】
表示パネルの密封性を確保し、外界の水分・酸素が表示パネルの内部へ浸入するのを防止するために、通常、表示パネルに対して封止処理を行って、封止構造を形成する。図２は、従来の表示パネルの封止構造の構造模式図である。図２が示す封止構造は、表示基板６を覆っている第１絶縁層１１と、第１絶縁層１１の表示基板６から離れた面に形成された第２絶縁層１２と、第２絶縁層１２上に位置する金属層２と、金属層２及び第２絶縁層１２上に敷設された無機封止層３とを含む。
【００３１】
図１に示す表示パネルにおける金属層２の縁は直線構造であるため、図１に示すＡＡ′区域内の金属線７のような金属層２の露出部位と無機封止層３の境目部位において、無機封止層３の金属層２に対する生長緻密性が比較的に低いため、金属層２と無機封止層３の境目部位は、直線構造の水分・酸素侵食経路が形成されやすい。図３及び図４において、矢印方向は水分・酸素侵食経路の方向である水分・酸素浸入方向を表す。外界の水分・酸素は直線経路に沿って表示パネルの内部に浸入しやすく、従って表示パネルの正常表示に影響を及ぼし、表示パネルの使用寿命を低下させる。
【００３２】
従来の表示パネルの封止構造の封止効果を向上させるために、従来技術は表示パネルの封止構造に対して改善を行った。即ち、水分・酸素侵食経路を延長し、表示パネルの封止効果を向上させるために、金属層２の縁に幾つかのパターンを作製した。図５は、改善された表示パネルの封止構造である。図５に示す封止構造において、金属層２の縁に複数の方形構造をなす金属縁飾り５を形成し、複数の金属縁飾り５は周期的配列になり、金属層２と無機封止層３の境目部位に形成された水分・酸素侵食経路は折り曲げ構造である。図６において、矢印方向は水分・酸素侵食経路の方向を表し、外界の水分・酸素は折り曲げ経路に沿って表示パネルの内部に浸入する。
【００３３】
従来の表示パネルの封止構造に比べ、改善された封止構造は比較的に良い封止効果を持つが、折り曲げられている水分・酸素侵食経路は平面経路であり続けるため、水分・酸素の浸入抵抗力が比較的に小さく、水分・酸素は依然として平面経路に沿って表示パネルの内部に浸入しやすく、表示パネルの性能に悪影響を及ぼす。
【００３４】
表示パネルの封止構造の封止効果をさらに向上させるために、本発明の実施例は新型の封止構造を研究開発した。本発明の実施例に係る封止構造を使用して表示パネルを封止することができ、他の封止すべき基板を封止することもできる。
【００３５】
図７は本発明の実施例に係る封止構造の平面構造模式図であり、図８は本発明の実施例に係る封止構造の水分・酸素侵食経路の立体構造模式図である。図７及び図８における矢印方向は、水分・酸素侵食方向である。図７及び図８を参考すると分かるように、本発明の実施例に係る封止構造は、絶縁層１と、金属層２と、無機封止層３とを含み、絶縁層１は封止すべき基板上に形成され、金属層２は絶縁層１の基板から離れた面に形成され、無機封止層３は金属層及び絶縁層２を覆っており、絶縁層１の金属層２の縁に接触する部分には、離隔して設置された複数の絶縁溝４が形成されており、金属層２の縁には、離隔して配列された複数の金属縁飾り５が形成されており、一部又は全部の金属縁飾り５は無機封止３により覆われ、複数の金属縁飾り５と金属層２とは同一層に設置され、複数の金属縁飾り５の絶縁層１における正投影は複数の絶縁溝４に一対一対応し、金属縁飾り５の各々の絶縁層１における正投影は対応する絶縁溝４のノッチと部分的に重なる。
【００３６】
本発明の実施例に記載の金属縁飾り５は一定のパターン構造を有し、折り曲げられている水分・酸素侵食経路を形成するために用いられ、金属縁飾り５の材質は金属層２の材質と同一又は異なって良い。金属縁飾り５は、一回パターニング工程を通じて製造されても良く、予め製造され、後で金属層２の縁に形成されても良い。前記絶縁溝４のノッチは、絶縁層１の封止すべき基板から離れた面に位置する。
【００３７】
本発明の実施例は、金属層２の縁及び金属層２の下方の絶縁層１に一定のパターンを有する金属縁飾り５及び絶縁溝４を形成するため、無機封止層３と金属層２の縁とにより形成される水分・酸素侵食経路は、平面方向において折り曲げがあるだけではなく、垂直方向においても起伏があり、従って、無機封止層３は金属層２の縁で生長する時に多様性の配列特徴を示し、従来技術における無機封止層３の生長の単一法則を打ち破る。当該構造は、浸入経路の長さを増加すると共に、水分・酸素侵食の抵抗力を増加したため、外界の水分・酸素の浸入を効果的に遮断することができ、比較的に良い封止効果を持つ。
【００３８】
さらに、離隔して設置された複数の絶縁溝４は、絶縁層１と金属層２の縁とが接触する部分に周期的に設置され、離隔して配列された複数の金属縁飾り５は、金属層２の縁が無機封止層により覆われた部分に周期的に形成され、複数の絶縁溝４の設置周期と複数の金属縁飾り５の設置周期とは同一である。
【００３９】
複数の絶縁溝４と複数の金属縁飾り５とが同一周期で設置されるのは、単位長さの金属層２の縁の垂直方向における水分・酸素浸入抵抗力及び折り曲げ経路の長さを増加することができ、従って封止構造の封止効果をさらに向上させる。本発明の実施例は、複数の絶縁溝４及び複数の金属縁飾り５の配列方式を限定せず、すべて本発明の実施例に適用される他の配列方式は全て可能である。
【００４０】
さらに、本発明の実施例に記載の絶縁層１は、絶縁溝４は単一層絶縁層１に形成され且つ当該絶縁層１を貫通しておらず、絶縁溝４は封止すべき基板と絶縁される単一層構造であって良い。前記絶縁層１は、第１絶縁層１１と第２絶縁層１２とを含み、第１絶縁層１１は封止すべき基板上に形成され、第２絶縁層１２は第１絶縁層１１上に形成され、金属層２は第２絶縁層１２の第１絶縁層１１から離れた面に形成され、絶縁溝４は第２絶縁層１２に設置され且つ第２絶縁層１２を貫通する二層構造であっても良い。
【００４１】
さらに、各々の金属縁飾り５の絶縁層における正投影の半分は、対応する絶縁溝４のノッチと重なる。金属縁飾り５の絶縁溝４との交互配列及び対応する半分の重なりに基づいて、封止構造が比較的に良い封止効果を持ち、外界の水分・酸素浸入を効果的に阻止することができる。
【００４２】
さらに、絶縁溝４のノッチの形状は金属縁飾り５の輪郭と同一であっても良いし、異なっても良く、実際によって設置して良い。金属縁飾り５の輪郭は、正方形、長方形、円形、楕円形、平行四辺形又は台形のように多種多様であって良い。絶縁溝４のノッチの形状は、正方形、長方形、円形、楕円形、平行四辺形又は台形のように多種多様であって良い。図９及び図１０を参照すると、図９において、金属縁飾り５の輪郭は台形構造であり、絶縁溝４のノッチの形状は台形構造である。図１０において、金属縁飾り５の輪郭は円形構造であり、絶縁溝４のノッチの形状は円形構造である。
【００４３】
多量の実験結果は、絶縁溝４の深さが金属層２の厚さの二倍より大きい場合、水分・酸素浸入経路は比較的に明らかな高低起伏効果を持ち、水分・酸素浸入を効果的に阻止することができ、金属縁飾り５の輪郭が弧形である場合、金属縁飾り５の半径は金属層２の厚さの二倍より大きく、水分・酸素侵食の長さを効果的に増加することができることを明らかにした。
【００４４】
本発明の実施例に係る封止構造を使用して表示パネルを封止することができる。表示パネルを封止する時、金属線のような金属層２が表示パネルに入る過程において十分な長さを有し、且つ十分長い水分・酸素侵食経路を有することを確保するためには、絶縁溝４の深さは金属層２の厚さの二倍より大きく且つピクセルサイズより小さく、弧形をなす金属縁飾り５の半径は金属層２の厚さの二倍より大きく且つピクセルサイズより小さいのが好ましい。一つのピクセルは複数のサブピクセルからなり、ピクセルサイズは複数のサブピクセルからなるピクセルの矩形の辺長さであり、例えば、赤、緑、青の三種類のサブピクセルからなるピクセルの場合、ピクセルサイズは、サブピクセル組み合わせの矩形の辺長さである。
【００４５】
本発明の実施例は、上記の封止構造を含む表示パネルを更に提供する。封止構造の絶縁層は、表示パネルの表示基板上に形成され、表示パネルの発光層を封止するために用いられる。
【００４６】
上記の封止構造は比較的に良い封止効果を持つため、水分・酸素浸入を効果的に阻止することができる。このため、封止された表示パネルは比較的良い封止効果を持ち、外界の水分・酸素が表示パネル内部に入り難く、表示パネルは比較的長い使用寿命を有する。
【００４７】
表示基板は、フレキシブルＯＬＥＤ表示基板又は他の表示基板であって良い。表示基板がフレキシブルＯＬＥＤ表示基板である場合、本発明の実施例に係る封止構造を使用してフレキシブルＯＬＥＤ表示パネルの発光層を封止することができ、封止されたフレキシブルＯＬＥＤ表示パネルは比較的に良い封止効果を持つ。
【００４８】
本発明の実施例は、上記の表示パネルを含む表示装置を更に提供する。表示装置は、上記の表示パネルの特徴を持ち、比較的に良い封止効果を持つ。
【００４９】
本発明の実施例は、上記の封止構造を製造する方法を更に提供する。図１１は、本発明の実施例に係る上記の封止構造を製造する方法のフローチャートである。図１１に示す上記の封止構造を製造する方法は下記のステップを含む。
【００５０】
ステップ１０１で、封止すべき基板上に絶縁層を形成し、離隔して配列された複数の絶縁溝を絶縁層に形成する。
【００５１】
ステップ１０２で、絶縁層の基板から離れた面に金属層を形成し、離隔して配列された複数の金属縁飾りを金属層の縁に形成し、一部又は全部の金属縁飾りは無機封止層により覆われている。
【００５２】
ステップ１０３で、金属層の絶縁層から離れた面に無機封止層を形成し、無機封止層は金属層及び絶縁層を覆っている。
【００５３】
本発明の実施例に係る上記の封止構造を製造する方法によれば、それぞれ金属層縁及び絶縁層に金属縁飾り及び絶縁溝を設置したため、無機封止層と金属層縁とにより形成される水分・酸素侵食経路は、平面方向において折り曲げがあるだけではなく、且つ垂直方向においても起伏があり、従って、無機封止層は金属層の縁が生長する時に多様性の配列特徴を示し、従来技術における無機封止層の生長の単一法則を打ち破る。当該構造は、浸入経路の長さを増加すると共に、水分・酸素侵食の抵抗力を増加したため、外界の水分・酸素の浸入を効果的に遮断することができ、比較的に良い封止効果を持つ。
【００５４】
上記の方案に基づいて、金属層縁の金属縁飾りは異なる工程を通じて作り得るため、離隔して配列された複数の金属縁飾りを金属層の縁に形成するステップは、一回パターニング工程を通じて、離隔して配列された複数の金属縁飾りを有する金属層を形成するステップを含んで良く、
金属層の絶縁層から離れた面に無機封止層を形成するステップは、無機封止層を使用して前記金属層及び前記絶縁層を覆うステップを含んで良い。
【００５５】
上記の実現方式以外に、離隔して配列された複数の金属縁飾りを金属層の縁に形成するステップは、複数の金属縁飾りを製造し、製造された複数の金属縁飾りを金属層の縁に離隔して形成するステップを更に含んで良く、
金属層の絶縁層から離れた面に無機封止層を形成するステップは、無機封止層を使用して金属層及び絶縁層を覆うステップを含んで良い。
【００５６】
好ましくは、絶縁層は、第１絶縁層と、第２絶縁層とを含んで良く、封止すべき基板上に絶縁層を形成するステップは、封止すべき基板上に第１絶縁層を形成し、第１絶縁層の金属基板から離れた面に第２絶縁層を形成するステップを含んで良く、
絶縁層の前記基板から離れた面に金属層を形成するステップは、第２絶縁層の第１絶縁層から離れた面に金属層を形成するステップを含んで良く、
離隔して配列された複数の絶縁溝を絶縁層上に設置するステップは、離隔して設置された複数の絶縁溝を第２絶縁層に形成し、絶縁溝は第２絶縁層を貫通しているステップを含んで良い。
【００５７】
本発明は、封止構造、表示パネル、表示装置及びその製造方法を提供する。本発明に係る封止構造において、複数の金属縁飾り及び複数の絶縁溝の設置に基づいて、無機封止層は金属層の縁が生長する時に多様性の配列特徴を示し、従来技術における無機封止層の生長の単一法則を打ち破る。金属縁飾り及び絶縁溝の設置は、水分・酸素浸入抵抗力及び浸入経路の長さを増加させるため、表示パネルへの外界の水分・酸素の浸入を効果的に遮断することができ、表示パネルの封止効果を向上させ、表示パネルの使用寿命を延長させる。
【００５８】
本明細書における各実施例はいずれも漸進的な方式を採用して記述され、各実施例において重点的に説明されたものは全て他の実施例との相違点であり、各々の実施例の間の同一又は類似の部分は互いに参照し合えば良い。
【００５９】
以上、本発明に係る封止構造、表示パネル、表示装置及びその製造方法を詳細に紹介した。本文において具体的なケースを応用して本発明の原理及び実施形態を述べたが、上記の実施例の説明は単に本発明の方法及びその核となる思想の理解を促進するために用いられる。同時に、当業者にとって、本発明の思想に基づいて具体的実施形態及び応用範囲においていずれも変更箇所があり得るようになる。上記のものをまとめると、本明細書の内容は、本発明に対する制限として理解されるべきではない。
【００６０】
関連出願の相互参照
本出願は、２０１７年３月２２日に提出された中国特許出願第２０１７１０１７４０８６．３号の優先権を主張し、ここで、全文に亘って上記の中国特許出願に開示された内容を引用し、本出願の一部とする。
【図１】
2020511683.tif 000003
【図２】
2020511683.tif 000004
【図３】
2020511683.tif 000005
【図４】
2020511683.tif 000006
【図５】
2020511683.tif 000007
【図６】
2020511683.tif 000008
【図７】
2020511683.tif 000009
【図８】
2020511683.tif 000010
【図９】
2020511683.tif 000011
【図１０】
2020511683.tif 000012
【図１１】
2020511683.tif 000013
【国際調査報告】
2020511683.tif 000014
2020511683.tif 000015
2020511683.tif 000016
2020511683.tif 000017